(57)【要約】【課題】  ノズル筒内における内容液の残液の流動性を、ポンプ操作による注出動作を妨げない範囲で抑えることにより、この残液が、妄りにノズル口から垂下流出するのを防止することを目的とする。【解決手段】  ノズル筒３内の、少なくともノズル口５近傍に挿入体１２を組付け固定し、この挿入体１２を、内容液の注出を妨げないものとすると共に、ノズル筒３内の残液との間に、この残液のノズル口５からの垂れ落ちを生じさせない程度の付着力を生じさせるものとして、ノズルヘッド１を構成し、もって残液の垂れ落ちを防止して、良好な使用状況を得る。【選択図】図１
2007330945.tif 000002
【特許請求の範囲】
【請求項１】
上面を手による押下げ面としたノズル本体の側面に、横外方に延出するノズル筒を設けたノズルヘッドであって、前記ノズル筒内の、少なくとも先端開口部であるノズル口近傍に挿入体を組付け固定し、該挿入体を、内容液の注出を妨げないものとすると共に、前記ノズル筒内に残留した内容液の残液との間に、該残液のノズル口からの垂れ落ちを生じさせない程度の付着力を生じさせるものとしたポンプのノズルヘッド。
【請求項２】
挿入体を、ノズル筒内周面に突き当たる突片を有する本体部と、該本体部の基端に一体設され、ヘッド本体内のノズル通路開口縁に係止して、前記挿入体のノズル筒内からの抜け出しを阻止する係止突片を有する係止部と、から構成した請求項１記載のポンプのノズルヘッド。
【請求項３】
挿入体の本体部を、各波頭部が突片として機能する細長波板で構成し、該細長波板の各谷部に補強片を差し渡し状に一体設した請求項２記載のポンプのノズルヘッド。
【請求項４】
挿入体の本体部を、細長波板の各波頭部に突片を突設して構成した請求項２記載のポンプのノズルヘッド。
【請求項５】
挿入体の本体部を、細長棒体の周面に、多数の突片を突設して構成した請求項２記載のポンプのノズルヘッド。
【請求項６】
挿入体の本体部を、１８０°捻った姿勢に成形された板片の複数を、９０°回動変位させた相互姿勢で、直列に結合して構成し、各板片の側端部を突片とした請求項２記載のポンプのノズルヘッド。
【請求項７】
挿入体の係止部を、ヘッド本体内のノズル通路開口縁に係止する係止突片と、該係止突片の近傍に設けられて、前記ノズル通路面への弾接により、前記係止突片の係止を保持する押さえ弾片とから構成した請求項２記載のポンプのノズルヘッド。
【請求項８】
挿入体の本体部の先端に、手によるもぎ取りが容易な摘み片を一体設した請求項２記載のポンプのノズルヘッド。
【発明の詳細な説明】
【技術分野】
【０００１】
本発明は、内容液を収容した容器本体の上端の口筒部に組付けられ、押下げ操作により内容液を注出するポンプのノズルヘッドに関するものである。
【背景技術】
【０００２】
シャンプー、リンス、ボディソープ、ハンドソープ、さらには化粧液等の内容液を収容した容器に組付けられ、ノズルヘッドを押下げることにより内容液を注出するポンプは、そのノズルヘッドの構造を、ノズル筒を比較的大きく横外方に延出させたものとし、これにより注出された内容液が、直接手のひらに注出されるようにしている。
【特許文献１】特開平０９−０１２０５２号公報
【０００３】
この上記したポンプのノズルヘッドの一般的な構造は、図５に示すように、上面を手による押下げ面としたヘッド本体２の側面に、わずかに湾曲下降しながら横外方に延出するノズル筒３を設け、ヘッド本体２に、上端部にノズル筒３のノズル通路４を開放させたヘッド首筒６と、このヘッド首筒６の中央に位置する弁押さえ片７を垂下設して構成されている。
【０００４】
このノズルヘッド１は、ポンプの主体部分の一部である、ボール弁１０を内装したステム９の上端部に、そのヘッド首筒６で密にかつ不動に外嵌組付きし、ノズルヘッド１の押下げに伴うステム９の下降変位により、ボール弁１０を開放して内容液を吸い上げ、この吸い上げた内容液を、ノズル筒３を通して、目的とする箇所に注出するものとなっている。
【０００５】
このノズルヘッド１のノズル筒３は、内容液を直接手のひらに注出することができるように、比較的大きな延出長さで成形されているが、具体的には、ノズル筒３の延出端が、容器本体の胴部の外周面の、仮想される延長面に、できるだけ接近することのできる延出長さで成形されている。
【０００６】
なお、ノズルヘッド１に設けられたガイド筒８と、ポンプの主体部分側に設けられた支持筒１１との組合せ物は、ノズルヘッド１の昇降変位姿勢を、妄りに傾くことなく、安定して一定に保持するためのものである。
【発明の開示】
【発明が解決しようとする課題】
【０００７】
しかしながら、上記した従来技術にあっては、ポンプ操作により内容液を注出した後、ノズル筒３内に内容液の一部が残留して残液ｅを生じるが、この残液ｅは、ノズル筒３の延出長さが大きいために、その量が比較的大きく、このためノズル筒３のノズル口５から不正に垂下流出して、汚れの発生とか、滑りの発生等の不都合を生じる、と云う問題があった。
【０００８】
すなわち、ノズル筒３内の内容液の残液ｅは、このノズル筒３内を略満たした状態で位置しているが、この状態で、ポンプ付き容器に振動による衝撃、若しくは他の物品との接触による衝撃が与えられると、また雰囲気温度の上昇により膨張すると、ノズル口５から滴状に垂下流出することになる。
【０００９】
また、この不都合を防止するポンプとして、ノズルヘッド１の上昇復帰時に、少量の外気を吸い込む液垂れ防止機能付きのものがあるが、ノズル筒３内に吸込まれた外気は、残液ｅよりも上流側に位置するので、この外気の雰囲気温度の上昇等による熱膨張により、下流側の残液ｅが押出されて、滴状に垂下流出（図５参照）することになる。
【００１０】
そこで、本発明は、上記した従来技術における問題点を解消すべく創案されたもので、ノズル筒内における内容液の残液の流動性を、ポンプ操作による注出動作を妨げない範囲で抑えることを技術的課題とし、もってノズル筒内の内容液の残液が、妄りにノズル口から垂下流出するのを防止することを目的とする。
【課題を解決するための手段】
【００１１】
本発明のポンプのノズルヘッドは、上面を手による押下げ面としたノズル本体の側面に、横外方に延出するノズル筒を設けたものであり、このノズル筒の、少なくとも先端開口部であるノズル口近傍に挿入体を組付け固定したものである。
【００１２】
挿入体は、ポンプ操作による、ノズル筒内における内容液の注出流動動作を妨げないものであると共に、ノズル筒内に残留した内容液の残液との間に、この残液のノズル口からの垂れ落ちを生じさせない程度の付着力を生じさせるものとなっている。
【００１３】
挿入体が、内容液の注出動作に支障を与えないものであるので、ポンプによる内容液の注出は、従来通りに円滑に達成される。
【００１４】
内容液の注出動作後に、ノズル筒内に残留した内容液の残液は、挿入体（ノズル通路面も含む）に対する付着により、その流動性が抑制された状態となっているので、重力の作用および、取扱や他の物品との接触等による多少の外力による衝撃力の作用が有っても、挿入体から離れて流動移動することがなく、挿入体との付着状態を維持して、ノズル口から垂れ落ちることがない。
【００１５】
ノズルヘッドの上昇復帰時に、少量の外気を吸い込む液垂れ防止機能（バックサクション機能）によりノズル筒内に吸引された外気が、挿入体に付着している残液を押し退けて、この残液よりもノズル筒の奥に侵入した場合、この外気が膨張しても、この膨張した外気は、その侵入時と同様に、挿入体に付着している残液を押し退けて、残液が位置している部分を通り抜けるので、残液がノズル口から押出される、と云うことは起こらない。
【００１６】
この挿入体による、ノズル筒内の残液に対する流動性抑制作用の程度は、主として挿入体とノズル通路面との間に形成される隙間と、内容液の粘度とにより決定されるものであるので、挿入体の大きさおよび構造は、ノズル筒内径および内容液の粘度に従って、設計することになる。
【００１７】
本発明の別の手段は、挿入体を、ノズル筒内周面に突き当たる突片を有する本体部と、この本体部の基端に一体設され、ヘッド本体内のノズル通路開口縁に係止して、挿入体のノズル筒内からの抜け出しを阻止する係止突片を有する係止部と、から構成することにある。
【００１８】
挿入体を、ノズル筒内周面に突き当たる突片を有する本体部と、ヘッド本体内のノズル通路開口縁に係止する係止突片を有する係止部と、から構成したものにあっては、本体部は、突片を有することにより、残液との接触面積を大きくして、この残液との間に大きな付着力を発生させることになると共に、突片がノズル筒内周面に突き当たっているので、ノズル筒内における姿勢が安定して一定したものとなり、また係止部は、その係止突片により、ヘッド本体内のノズル通路開口縁に係止しているので、ノズル筒内に組付いた挿入体の、ノズル口からの抜け出しを強力に阻止する。
【００１９】
また、本発明の別の手段は、挿入体の本体部を、各波頭部が突片として機能する細長波板で構成し、この細長波板の各谷部に補強片を差し渡し状に一体設したことにある。
【００２０】
挿入体の本体部を細長波板で構成し、この細長波板の各谷部に補強片を設けたものにあっては、細長波板の各波頭部を突片として機能させるので、本体部の構造が単純となり、また細長波板の各谷部に補強片を、差し渡し状に一体設したので、本体部の自己形状保持能力が充分に高められる。
【００２１】
また、本発明の別の手段は、挿入体の本体部を、細長波板の各波頭部に突片を突設して構成したことにある。
【００２２】
挿入体の本体部を、細長波板の各波頭部に突片を突設して構成したものにあっては、細長波板の各波頭部に突片を突設しただけの構造であるので、本体部の構造を単純なものとすることができ、また各突片を、細長波板の弾力を利用して、ノズル筒内周面に突き当てることができる。
【００２３】
また、本発明の別の手段は、挿入体の本体部を、細長棒体の周面に、多数の突片を突設して構成したことにある。
【００２４】
挿入体の本体部を、細長棒体の周面に、多数の突片を突設して構成したものにあっては、細棒体とノズル筒との間に、内容液の通路となる、略均等な隙間を形成することができ、また突片は、細棒体の周面に突設されているだけのものであるので、多数の突片を成形することが可能となる。
【００２５】
また、本発明の別の手段は、挿入体の本体部を、１８０°捻った姿勢に成形された板片の複数を、９０°回動変位させた相互姿勢で、直列に結合して構成し、各板片の側端部を突片としたことにある。
【００２６】
挿入体の本体部を、１８０°捻った姿勢の板片の複数で構成し、この板片の側端部を突片としたものにあっては、各板片が、ノズル筒内全域に対して、中心軸に沿った方向から対向するので、残液が本体部に確実に付着することになり、また各板片は、ノズル筒内の中心を横断する形態で位置するので、本体部とノズル筒内周面との間に、比較的大きな隙間を形成し、この隙間は、本体部に付着した残液で塞がれることがなく、ノズル筒内に空気溜まりを形成することがない。
【００２７】
また、本発明の別の手段は、挿入体の係止部を、ヘッド本体内のノズル通路開口縁に係止する係止突片と、この係止突片の近傍に設けられて、ノズル通路面への弾接により、係止突片の係止を保持する押さえ弾片とから構成したことにある。
【００２８】
挿入体の係止部を、係止片と押さえ弾片とで構成したものにあっては、押さえ弾片の弾力により、ヘッド本体内のノズル通路開口縁に対する係止片の係止を保持するので、係止部による、挿入体のノズル筒内からの抜け出し阻止作用を、確実に維持する。
【００２９】
また、本発明の別の手段は、挿入体の本体部の先端に、手によるもぎ取りが容易な摘み片を一体設したことにある。
【００３０】
挿入体に摘み片を一体に設けた構成にあっては、挿入体のノズル筒内への挿入組付け操作を、この摘み片を指先で摘んで行なうことができる。
【発明の効果】
【００３１】
本発明は、上記した構成となっているので、以下に示す効果を奏する。
本発明のノズルヘッドにあっては、内容液の円滑な注出動作を維持したまま、ノズル筒内に残留した内容液の残液の垂れ落ちを確実に防止することができ、これによりポンプを組付けた容器の衛生的で、不要な滑りのない、好ましい使用状態を得ることができる。
【００３２】
残液の垂れ落ち防止は、残液の挿入体に対する付着が維持されている限り、持続されるので、外力の作用に限らず、ノズル筒内に侵入した外気の膨張作用に対しても、確実で強力な残液垂れ落ち阻止動作を得ることができる。
【００３３】
挿入体を、ノズル筒内周面に突き当たる突片を有する本体部と、ノズル通路開口縁に係止する係止突片を有する係止部と、から構成したものにあっては、残液と大きい面積で付着する本体部を、ノズル筒内に一定した姿勢で位置させることができ、これにより残液に対して強力で安定した付着保持作用を発揮することができ、また係止部の作用により、挿入体のノズル口からの抜け出しを阻止して、挿入体のノズル筒に対する組付きを、簡単な構成で強力に維持することができる。
【００３４】
また、挿入体の本体部を細長波板で構成し、この細長波板の各谷部に補強片を設けたものにあっては、本体部の構造が単純となると共に、本体部の自己形状保持能力を充分に高めることができるので、取扱が簡単な挿入体を、簡単に製作することができる。
【００３５】
挿入体の本体部を、細長波板の各波頭部に突片を突設して構成したものにあっては、本体部の構造を単純なものとすることができると共に、各突片のノズル筒内周面への確実な突き当りを得ることができるので、ノズル筒内に安定して挿入組付きする挿入体を簡単に製作することができる。
【００３６】
挿入体の本体部を、細長棒体の周面に、多数の突片を突設して構成したものにあっては、ノズル筒との間に、略均等な隙間を形成することができるので、周方向に沿って略均等な付着力を発生させることになり、これにより残液全体に対して均等な付着力を作用させることができるので、良好な垂れ落ち阻止作用を発揮することができ、また多数の突片を成形することが可能でるので、残液に対する付着力の大小設定が容易となる。
【００３７】
挿入体の本体部を、１８０°捻った姿勢の板片の複数で構成し、この板片の側端部を突片としたものにあっては、本体部に対する残液の付着が確実に達成され、またノズル筒内に空気溜まりの形成されることがないので、挿入体による残液垂れ落ち阻止動作を確実に得ることができる。
【００３８】
挿入体の係止部を、係止片と押さえ弾片とで構成したものにあっては、押さえ弾片により、ヘッド本体に対する係止片の係止を確保して、挿入体のノズル筒内からの抜け出し阻止を確実に阻止し、これにより挿入体のノズル筒に対する組付きを安定して維持できる。
【００３９】
挿入体に摘み片を一体に設けた構成にあっては、挿入体のノズル筒内への挿入組付け操作を、この摘み片を指先で摘んで行なうことができるので、この組付け作業を簡単にかつ良好に行なうことができ、また挿入体全体のノズル筒内への挿入を、無理なく簡単に達成できるので、ノズル筒に対する挿入体の好ましい組付け状態を、簡単に得ることができる。
【発明を実施するための最良の形態】
【００４０】
以下、本発明の実施形態例を、図１〜図４を参照しながら説明する。なお、図１〜図４において、従来技術を説明した図５に示された符号と同一符号は、同一部分を示すものである。
【００４１】
図示した実施形態例におけるノズルヘッド１は、上面を手による押下げ面としたノズル本体２の側面に、わずかに湾曲下降しながら横外方に延出するノズル筒３を一体設し、ヘッド本体２に、上端部にノズル筒３のノズル通路４を開放させたヘッド首筒６と、このヘッド首筒６の中央に位置する弁押さえ片７を垂下設して構成されている。
【００４２】
このノズルヘッド１は、ポンプの主体部分の一部である、ボール弁１０を内装したステム９の上端部に、そのヘッド首筒６で密にかつ不動に外嵌組付きし、ノズルヘッド１の押下げに伴うステム９の下降変位により、ボール弁１０を開放して内容液を吸い上げ、この吸い上げた内容液を、ノズル筒３を通して、目的とする箇所に注出するものとなっている。
【００４３】
円筒形状をしたステム９は、ヘッド首筒６に密嵌入する上端部の外周面に、嵌入組付き限位置を設定する段部を形成し、この上端部内周面に、下方に傾斜して縮径した内鍔片を周設することにより弁座面を形成してボール弁１０を組付け、この弁座面を形成する内鍔片の上側の内周面に、複数の縦条を設けることにより、ボール弁１０に閉鎖されない通路を確保している。
【００４４】
ノズルヘッド１がステム９に組付けられた状態では、ヘッド首筒６に密嵌入したステム９の上端開口部には、垂下姿勢をリブ片で補強された弁押さえ片７の下端縁が位置しており、この弁押さえ片７によりステム９内からボール弁１０が抜け出すのを防止している。
【００４５】
なお、ノズル首筒６を囲む形態でヘッド本体２に垂下設されたガイド筒８と、ポンプの主体部分側に設けられた支持筒１１との組合せ物は、相互に上下方向に摺動自在に嵌合することにより、ノズルヘッド１の昇降変位姿勢を、妄りに傾くことなく、安定して一定に保持するためのものである。
【００４６】
また、このガイド筒８と支持筒１１との組合せ物には、キー構造を利用した回り止め機能部分が設けられているが、これに限るものではなく、必要に応じて設ければよい。
【００４７】
図１は、挿入体１２の第一の構成例を組付けた実施形態例を示すもので、挿入体１２は、細長波板状の本体部１３と、この本体部１３の基端に一体設された係止部１６と、本体部１３の先端に一体設された摘み片１９とから構成されている。
【００４８】
本体部１３は、細長波板体で構成され、この細長波板体は、各波頭部の両側端縁を、ノズル筒３の内周面、すなわちノズル通路４の通路面に突き当てて、突片１４として機能させる波高で成形されており、また各谷部には、波板形状を保持するための補強片１５（図１（ｂ）参照）を、差し渡し状に設けている。
【００４９】
本体部１３の基端に連設された係止部１６は、ノズル通路４内からヘッド首筒６内に突出した端部に設けられた係止突片１７と、この係止突片１７の近傍に設けられて、ノズル通路４の通路面に弾接する押さえ弾片１８とを有しており、係止突片１７は、ノズル通路４の開口縁に係止して、挿入体１２のノズル口５からの抜け出しを阻止しており、押さえ弾片１８は、その弾力を、係止突片１７をノズル通路４の開口縁に係止させる方向に作用させている。
【００５０】
本体部１３の先端に一体設された摘み片１９は、挿入体１２のノズル筒３への挿入組付けを行ない易くするためのもので、指先で摘み易い板片形状をしており、この摘み片１９を指先で摘んで、挿入体１２の本体部１３および係止部１６をノズル口５からノズル筒３内に挿入組付けし、係止部１６のノズル通路４の開口縁への係止が達成されたならば、本体部１３からもぎ取り分離させる。
【００５１】
図２は、挿入体１２の第二の構成例を組付けた実施形態例を示すもので、挿入体１２は、細長波板状の本体部１３と、この本体部１３の基端に一体設された係止部１６とから構成されている。
【００５２】
本体部１３は、細長波板体の各波頭部に、ノズル筒３の内周面に突き当たる突片１４（図２（ｂ）参照）を突設して構成されており、細長波板体は、挿入体１２がノズル筒３内に挿入組付けされた状態で、その波高値を低める方向への弾性変形により、各突片１４の突出端を、ノズル筒３の内周面に突き当てる状態とする。
【００５３】
本体部１３の基端に連設された係止部１６は、図１に示した第一の構造例と同じ構造となっているので、その詳細な説明は省略する。
【００５４】
図３は、挿入体１２の第三の構成例を組付けた実施形態例を示すもので、挿入体１２は、細長波板状の本体部１３と、この本体部１３の基端に一体設された係止部１６とから構成されている。
【００５５】
本体部１３は、細長棒体の周面に多数の突片１４（図３（ｂ）参照）を突設して構成されており、各突片１４は、挿入体１２がノズル筒３内に挿入組付けされた状態で、それ自体の弾性変形により、突出端をノズル筒３の内周面に突き当てる状態とする。
【００５６】
本体部１３の基端に連設された係止部１６は、図１に示した第一の構造例と同じ構造となっているので、その詳細な説明は省略する。
【００５７】
図４は、挿入体１２の第四の構成例を組付けた実施形態例を示すもので、挿入体１２は、細長波板状の本体部１３と、この本体部１３の基端に一体設された係止部１６とから構成されている。
【００５８】
本体部１３は、１８０°捻った姿勢に成形された板片の複数を、９０°回動変位させた相互姿勢で、直列に結合（図４（ｂ）参照）し、各捻れ板片の側端部を突片とし機能させて構成されており、各捻れ板片は、ノズル筒３内に、スクリューに似た姿勢で位置することになる。
【００５９】
本体部１３の基端に連設された係止部１６は、図１に示した第一の構造例と同じ構造となっているので、その詳細な説明は省略する。
【００６０】
なお、使用されるポンプは、ボール弁付きのものに限定されることはなく、バネ式の合成樹脂製弁等のあらゆる種類のポンプを使用することができる。
【図面の簡単な説明】
【００６１】
【図１】は第一実施形態例を示し、（ａ）は一部破断した全体縦断面図、（ｂ）は挿入体の本体部の要部外観斜視図である。
【図２】は第二実施形態例を示し、（ａ）は一部破断した全体縦断面図、（ｂ）は挿入体の本体部の要部外観斜視図である。
【図３】は第三実施形態例を示し、（ａ）は一部破断した全体縦断面図、（ｂ）は挿入体の本体部の要部外観斜視図である。
【図４】は第四実施形態例を示し、（ａ）は一部破断した全体縦断面図、（ｂ）は挿入体の本体部の要部外観斜視図である。
【図５】は従来例を示す、一部破断した全体縦断面図である。
【符号の説明】
【００６２】
１  ；  ノズルヘッド
２  ；  ヘッド本体
３  ；  ノズル筒
４  ；  ノズル通路
５  ；  ノズル口
６  ；  ヘッド首筒
７  ；  弁押さえ片
８  ；  ガイド筒
９  ；  ステム
１０；  ボール弁
１１；  支持筒
１２；  挿入体
１３；  本体部
１４；  突片
１５；  補強片
１６；  係止部
１７；  係止突片
１８；  押さえ弾片
１９；  摘み片
ｅ  ；  残液
【図１】
2007330945.tif 000003
【図２】
2007330945.tif 000004
【図３】
2007330945.tif 000005
【図４】
2007330945.tif 000006
【図５】
2007330945.tif 000007